(57)【要約】【課題】  直列式サージ抑制構造の提供。【解決手段】  多層のサージ吸収ユニットが直列に接続された接地線と複数の通電線路を具えた回路板を有し、各該サージ吸収ユニットは一対の平行のチョークコイルの一端と接地線間に並列に接続された分層に設けられたサージ抑制素子から構成される。電源接続端子は、回路板の一辺に位置し、多層サージ吸収ユニットの最終端と電気的接続を形成し、保護端は、回路板の別の辺に位置し、多層サージ吸収ユニットの別の辺の最終端と電気的接続を形成し、これにより、保護端と通信回路或いは電気設備が接続され、電源接続端子が外接線に接続され、直列接続方式で多層サージ吸収保護を形成する。また、モジュールを形成するのに便利で、多数の共同接続により三相多層サージ吸収保護を形成でき、使用範囲を拡大して実質的なサージ抑制効果を達成する。【選択図】        図１
0003147808.tif 000002
【実用新案登録請求の範囲】
【請求項１】
直列式サージ抑制構造において、
回路板を包含し、該回路板に接地線と複数の通電線路が設けられ、該接地線と複数の通電線路に直列に多層サージ吸収ユニットが接続され、
各該通電線路は複数のチョークコイルが直列に接続されてなり、
各該サージ吸収ユニットは、一対の平行なチョークコイルの一端と接地線の間に分層が並列に接続され、それにサージ抑制素子が設けられてなり、
電源接続端子が該回路板の一辺に位置し、多層サージ吸収ユニットの最終端と電気的接続を形成し、
保護端子が該回路板の別の辺に位置し、多層サージ吸収ユニットの別の辺の最終端と電気的接続を形成したことを特徴とする、直列式サージ抑制構造。
【請求項２】
請求項１記載の直列式サージ抑制構造において、同一層のサージ抑制素子はＹ型に配置されたことを特徴とする、直列式サージ抑制構造。
【請求項３】
請求項１記載の直列式サージ抑制構造において、同一層のサージ抑制素子は三角型に配置されたことを特徴とする、直列式サージ抑制構造。
【請求項４】
請求項１記載の直列式サージ抑制構造において、該チョークコイルは該回路板の中間に間隔配置され、該サージ抑制素子は該回路板の両側に間隔配置されたことを特徴とする、直列式サージ抑制構造。
【請求項５】
請求項１記載の直列式サージ抑制構造において、該サージ抑制素子は該回路板の中間に間隔配置され、該チョークコイルは該回路板の両側に間隔配置されたことを特徴とする、直列式サージ抑制構造。
【請求項６】
請求項１記載の直列式サージ抑制構造において、該サージ抑制素子と該チョークコイルは該回路板上で参差間隔分布配置されたことを特徴とする、直列式サージ抑制構造。
【請求項７】
請求項１記載の直列式サージ抑制構造において、制定規格によりモジュールに形成され、異なる使用電力規格の設備に取付けられることを特徴とする、直列式サージ抑制構造。
【請求項８】
直列式サージ抑制構造において、
複数の並列されたモジュールを包含し、各該モジュールは回路板に接地線と複数の通電線路が設けられ、該接地線と複数の通電線路に直列に多層サージ吸収ユニットが接続されてなり、
各該通電線路は複数のチョークコイルが直列に接続されてなり、
各該サージ吸収ユニットは、一対の平行なチョークコイルの一端と接地線の間に分層が並列に接続され、それにサージ抑制素子が設けられてなり、
各該モジュールの１辺に電源接続端子が設けられ、もう１辺に保護端子が設けられ、該電源接続端子は該回路板の一辺に設けられ、該多層サージ吸収ユニットの最終端と電気的接続を形成し、該保護端子は該回路板の別の辺に位置し、該多層サージ吸収ユニットの別の辺の最終端と電気的接続を形成し、
これにより、複数の該モジュールの保護端子が共同接続され更に通信設備或いは電気設備と接続され、該電源接続端子が共同接続され更に外接線と接続され、３相直列接続多層サージ吸収保護を達成することを特徴とする、直列式サージ抑制構造。
【請求項９】
請求項８記載の直列式サージ抑制構造において、該モジュールが三つ設けられ、その保護端子と電源接続端子がＹ型に共同接続配置されたことを特徴とする、直列式サージ抑制構造。
【請求項１０】
請求項８記載の直列式サージ抑制構造において、該モジュールが三つ設けられ、その保護端子と電源接続端子が三角型に共同接続配置されたことを特徴とする、直列式サージ抑制構造。
【請求項１１】
請求項１又は請求項８記載の直列式サージ抑制構造において、各層のサージ吸収ユニットの使用するサージ抑制素子とチョークコイル規格が同じとされ、各層のサージ抑制素子が約５０％のサージ電流進入を制限でき、残りの５０％のサージ電流はチョークコイルに流入することを特徴とする、直列式サージ抑制構造。
【請求項１２】
請求項１１記載の直列式サージ抑制構造において、該サージ吸収ユニットはｎ層設けられ、且つ、そのｎ層のサージ残存電圧Ｖcn+1は、
Ｖcn+1＝Ｖc1−［４−（１／２）n］（Ｌ×ｄｉ／ｄｔ）        公式（１）
であり、そのサージ侵入時に吸収するエネルギー量Ｅabsorbは、
Ｅabsorb＝（Ｒ＋Ｌ）（ｉ1 ）2 ［２−（１／２）n  ］            公式（２）
であり、被保護設備に進入する残存エネルギーＥsurviveは、
Ｅsurvive＝Ｅtotal surge−Ｅabsorb                            公式（３）
であり、顧客の要求に応じて１−ｎ層のチョークコイルとそのＬ値規格を設け、製造する製品を実用要求に符合させられることを特徴とする、直列式サージ抑制構造。
【考案の詳細な説明】
【技術分野】
【０００１】
本考案は一種の直列式サージ抑制構造に係り、クランプ電圧とエネルギー保存方法で、被保護設備に進入するサージ残存電圧と残存エネルギー量を大幅に減らし、完全な保護効果を達成する。本考案が実行する具体回路は電源入出力端、信号入出力端に応用でき、サージ抑制上、伝統的な方法に較べて良好な保護効果を有し、新規性、進歩性と産業上の利用性を有し、サージ抑制技術領域に属するものである。
【背景技術】
【０００２】
サージ発生原因には二つあり、その一つは、第自然界の雷により発生する雷サージであり、もう一つは電力システムのオンオフ操作時に発生するスイッチングサージである。サージ自身は瞬間的高圧、大電流と大エネルギーの特性を有し、サージ電圧は１００ｋＶにも達し、電流も１０ｋＡにも達する。さらに、サージ波形上昇時間はμＳ、持続時間は数１０μＳで、これにより、雷雲から雷雲への放電、雷雲から地面への放電により発生する誘導サージ或いは電力設備自身の操作により発生するスイッチングサージのいずれであっても、電子設備に対する危険性を有している。サージ侵入時には電子設備、電力設備、電信設備の運転が不安定となり、誤動作（感受性干渉ｓｕｓｃｅｐｔｉｂｉｌｉｔｙ  ｉｎｔｅｒｆｅｒｅｎｃｅ）を招き、厳重な場合は端末装置、電子設備、電力設備、電信設備を損壊し（ｖｕｌｎｅｒａｂｉｌｉｔｙ  ｉｎｔｅｒｆｅｒｅｎｃｅ）このため、現在、多くの電子設備、通信設備及び電力設備はサージ吸収器を取り付けて設備の安全を保護している。
【０００３】
ただし、周知のサージ抑制方法は通常、ガス避雷管（ｇａｓ  ｔｕｂｅ）或いは金属酸化バリスタ（ｍｅｔａｌ  ｏｘｉｄｅ  ｖａｒｉｓｔｏｒ；ＭＯＶ）をサージ抑制素子として採用している。且つその使用する技術のほとんどは、並列接続方法である。しかし、事実上、サージ放電電流に対しては有効に処理ができず、自身の保護効果は不良であり、その結果、残存サージ電流とエネルギーが被保護施設中に侵入して相当な損害をもたらす。特に、高価な重要設備は何億円もかかり、それに妥当な保護がなされなければ、サージ被害を受けた場合の損失は計り知れない。
【考案の開示】
【考案が解決しようとする課題】
【０００４】
ゆえに、既存の、単純にサージ抑制素子を採用するだけで大幅に被保護設備に侵入するの残存エネルギーを減らせない技術に対して、エネルギー方面からサージ処理し、すなわち、サージ電圧と放電電流を共に処理でき、効果的にサージ残存電圧と残存エネルギーを減らして、実質的な抑制効果を達成できる直列式サージ抑制構造を提供することが、本考案の課題である。
【課題を解決するための手段】
【０００５】
本考案の直列式サージ抑制構造は、多層のサージ吸収ユニットが直列に接続された接地線と複数の通電線路を具えた回路板を有し、各該サージ吸収ユニットは一対の平行のチョークコイルの一端と接地線間に並列に接続された分層に設けられたサージ抑制素子から構成される。電源接続端子は、回路板の一辺に位置し、多層サージ吸収ユニットの最終端と電気的接続を形成し、保護端子は、回路板の別の辺に位置し、多層サージ吸収ユニットの別の辺の最終端と電気的接続を形成し、これにより、保護端子と通信回路或いは電気設備が接続され、電源接続端子が外接線に接続され、直列接続方式で多層サージ吸収保護を形成する。また、モジュールを形成するのに便利で、多数の共同接続により三相多層サージ吸収保護を形成でき、使用範囲を拡大して実質的なサージ抑制効果を達成する。
【考案の効果】
【０００６】
本考案を応用することで、正確にそのサージ抑制の効果を推測でき、並びに顧客の要求により、それに符合する製品を製造でき、ゆえに広く各種のサイズの異なる通信回路及び電気設備に応用でき、有効にサージ侵略による損害を防止でき、機器の正常運転を維持でき並びに使用寿命を延長できる。
【考案を実施するための最良の形態】
【０００７】
図１から図７に示されるように、本考案の直列式サージ抑制構造は、以下を包含する。すなわち、
【０００８】
回路板８であって、該回路板８に接地線６と複数の通電線路４が設けられ、該接地線６と複数の通電線路４に直列に多層サージ吸収ユニット７が接続されている。
【０００９】
各該通電線路４は複数のチョークコイル２が直列に接続されてなる。
【００１０】
各該サージ吸収ユニット７は、一対の平行なチョークコイル２の一端と接地線６の間に分層が並列に接続され、それにサージ抑制素子１が設けられてなる。
【００１１】
電源接続端子８１が、回路板８の一辺に位置し、多層サージ吸収ユニット７の最終端と電気的接続を形成する。
【００１２】
保護端子８２は、回路板８の別の辺に位置し、多層サージ吸収ユニット７の別の辺の最終端と電気的接続を形成する。
【００１３】
これにより、図１から図７に示されるように、保護端子８２と通信回路５１（図７の如し）或いは電気設備５２（図２の如し）が接続され、電源接続端子８１が外接線に接続され、回路板８上の多層サージ吸収ユニット７が、直列接続方式で対外接続線と通信回路５１及び電気設備５２の間に設けられ、多層サージ吸収保護を形成する。
【００１４】
そのうち、特に、このような直列式サージ抑制構造は、サージ吸収ユニット７中のサージ抑制素子１（ＭＯＶ）とチョークコイル２が多層式クランプ電圧とエネルギー保存回路を構成し、ゆえに、有効にサージの残存電圧と残存エネルギーを減らせ、実質的なサージ抑制効果を達成でき、こうして真に有効に設備をサージ襲撃の損害から保護でき、機器の正常な運転を維持できる。
【００１５】
実施時には、図２に示されるように、該通電線路４は２本設けられ（但し理論上はさらに多数が並列に設けられ得る）、その各１層のサージ抑制素子１は△型に配置される（但し理論上はＹ型に配置も可能である）。
【００１６】
このほか、図１に示されるように、サージ抑制素子１とチョークコイル２は回路板８上で参差間隔分散配置されるか、或いは図３のように、そのうち該チョークコイル２だけが回路板８の中間に間隔配置され、サージ抑制素子１は回路板８の両側に間隔配置される。或いは、図４のように、該サージ抑制素子１が回路板８の中間に間隔配置され、チョークコイル２が回路板８の両側に間隔配置される。
【００１７】
本考案の構造は事実上、非常に実用的であり、且つサージ抑制効果が十分に良好で、広く各種の異なる電子設備、通信設備等、異なる作業電圧（ＡＣとＤＣを包含する）と作業電流の要求に対応し、さらに重要であるのは、その全体規格設計上、実施時に以下の詳細な公式を用いて対応する製品を製造でき、異なる使用要求に対して最良のサージ抑制性能を提供できる、ということである。
【００１８】
図２のように、その回路は複数のサージ抑制素子１がチョークコイル２に結合されて連続直列接続形式で構成されている。そのうち、複数のサージ抑制素子１は多層状に接地線６と複数の通電線路４に直列に接続されたチョークコイル２の対応接点２１に間隔並列接続され、延伸されて、Ｌ−Ｎ、Ｌ−Ｇ、Ｎ−Ｇを成して平衡構造を形成している。その各１層のサージ抑制素子１は△型配置を呈し（但し理論上はＹ型に配置も可能である）、その組合せはＡＣ低電圧単相に適用され、一般の電気設備５２関係設備の保護を形成する。
【００１９】
このほか図５には本システムの図２の回路を通用規格によりモジュール化した製品が示され、各種の異なる使用電力規格の電気設備との組合せ使用に供される。例えば、ＡＣ高電圧三相設備の保護、或いは電力使用抵抗器結合避雷器との結合等である。
【００２０】
図１、２、５を参照されたい。図５は図２の回路のモジュール化製品の応用の表示図である。各モジュール９は、回路板８に接地線６と複数の通電線路４が設けられ、該接地線６と複数の通電線路４に多層サージ吸収ユニット７が直列に接続されて構成され、各モジュール９の一辺に電源接続端子８１が設けられ、もう１辺に保護端子８２が設けられ、該電源接続端子８１の位置する回路板８の１辺と多層サージ吸収ユニット７の最終端が電気的に接続され、該保護端子８２の位置する回路板８の別の１辺と多層サージ吸収ユニット７の別の辺の最終端が電気的接続を形成する。
【００２１】
これにより、応用時には図６のように、三つ（或いはそれ以上）のモジュール９が並列に設けられ、保護端子８２が相互に△型に共同設置されさらに電気設備５２と接続され、電源接続端子８１も相互に△型に共同設置されさらに外接線と接続され、すなわち三相直列接続多層サージ吸収保護に使用される（図中には△型が示されるが、理論上はＹ型配置も可能である）。
【００２２】
以下にさらに詳細に、本考案がどのように正確にサージ抑制効果を推定し、それを顧客要求に応じた製品に製造するかの方法について説明する。そのうち、公式の演算を順調に行なえるように、以下の説明中、関係する符号は省略した。
【００２３】
このほか、演算を例示しやすいように、特に図７の本考案の最も基礎の回路で説明し、図示されるのは、複数のサージ抑制素子１がチョークコイル２に結合され、連続直列接続方式で形成され、そのうち、同じ規格のサージ抑制素子１とチョークコイル２を使用し、この回路は通信回路５１関係設備の保護に応用され得る。
【００２４】
その図中、被保護設備の両端のサージ残存電圧と残存エネルギーは以下の数式で表示される。本考案の数学理論による推定は、各層の使用するサージ抑制素子とチョークコイル規格が皆同じであり、各層のサージ抑制素子に関しては、約５０％のサージ電流が進入し、残りの５０％サージ電流はチョークコイルに流入する。
【００２５】
ゆえに、
ｉ＝ｉ1'＋ｉ1＝２ｉ1，（ｉ1'＝ｉ1），ｉ1'＝ｉ2＋ｉ2'＝２ｉ2，（ｉ2'＝ｉ2）・・・
図７中に進入するサージ電流はｉ＝ｉ1'＋ｉ1
そのうち、図示される対応点Ｐ１〜Ｐ１０に関し、
Ｐ１は第１層ＭＯＶクランプ電圧Ｖc1を代表し、ＭＯＶを流れるサージ電流はｉ1'とされる。
Ｐ２Ｐ３は第１層のチョークコイル両端の電圧２ＶL1＝２Ｌ1×ｄｉ1／ｄｔを代表する。
Ｐ４は第２層のＭＯＶクランプ電圧Ｖc2を代表し、ＭＯＶを流れるサージ電流はｉ2'とされる。
Ｐ５Ｐ６は第２層のチョークコイル両端の電圧２ＶL2＝２Ｌ2×ｄｉ2／ｄｔを代表する。
Ｐ７は第ｎ層のＭＯＶクランプ電圧Ｖcnを代表し、ＭＯＶを流れるサージ電流はｉn'とされる。
Ｐ８Ｐ９は第ｎ層のチョークコイル両端の電圧２ＶLn＝２Ｌn×ｄｉn／ｄｔを代表する。
Ｐ１０は被保護設備両端のサージ残存電圧を代表する。
Ｖc1＝２ＶL1＋Ｖc2
Ｖc2＝２ＶL2＋Ｖc3
・
・
・
Ｖcn＝２ＶLn＋Ｖcn+1
且つ、
ＶL1＝（Ｌ×ｄｉ1 ／ｄｔ）＝（１／２）×（Ｌ×ｄｉ／ｄｔ）
ＶL2＝（Ｌ×ｄｉ2 ／ｄｔ）＝（１／２）2 ×（Ｌ×ｄｉ／ｄｔ）
・
・
・
ＶLn＝（Ｌ×ｄｉn ／ｄｔ）＝（１／２）n ×（Ｌ×ｄｉ／ｄｔ）
ゆえに、第１層ＭＯＶクランプ電圧Ｖc1の数学式は以下のとおり、
Ｖc1＝２ＶL1＋２ＶL2＋・・・２ＶLn＋Ｖcn+1
Ｖc1＝２（ＶL1＋ＶL2＋・・・ＶLn）＋Ｖcn+1
Ｖcn+1＝Ｖc1−２（ＶL1＋ＶL2＋・・・＋ＶLn）
Ｖcn+1＝Ｖc1−２（Ｌ×ｄｉ1 ／ｄｔ＋Ｌ×ｄｉ2 ／ｄｔ＋・・・＋Ｌ×ｄｉn ／ｄｔ）
Ｖcn+1＝Ｖc1−２［（１／２）×（Ｌ×ｄｉ／ｄｔ）＋（１／２）2 ×（Ｌ×ｄｉ／ｄｔ）＋・・・（１／２）2 ×（Ｌ×ｄｉ／ｄｔ）］
Ｖcn+1＝Ｖc1−２Ｌ×ｄｉ／ｄｔ［（１／２）＋（１／２）2 ＋・・・＋（１／２）n  ］
Ｖcn+1＝Ｖc1−２Ｌ×ｄｉ／ｄｔ［２−（１／２）n］
したがって、
Ｖcn+1＝Ｖc1−［４−（１／２）n］（Ｌ×ｄｉ／ｄｔ）        公式（１）
を獲得できる。
ｎ＝１の時、Ｖcn+1＝Ｖc1−３（Ｌ×ｄｉ／ｄｔ）であり、
ｎ＝∞の時、Ｖcn+1＝Ｖc1−４（Ｌ×ｄｉ／ｄｔ）であり、
Ｖcn+1＝Ｖc1：第１層クランプ電圧、Ｖcn+1：第ｎ層クランプ電圧（すなわち被保護設備両端のサージ残存電圧）でＶc1−３（Ｌ×ｄｉ／ｄｔ）とＶc1−４（Ｌ×ｄｉ／ｄｔ）の間に介在する。
【００２６】
公式（１）からＬとサージ放電電流は逆相関係にあり、被保護設備両端のサージ残存電圧は、サージ電流の増加により低下することが分かる。ゆえにこの構造は伝統的な技術に比べてサージ電圧を抑制できる。
【００２７】
本考案の構造は図１中、サージ電流侵入時に吸入するエネルギーＥabsorbを以下の数学式で表示できる。
Ｅabsorb＝
（ｉ1'）2 Ｒ＋２（１／２）Ｌ（ｉ1）2 ＋（ｉ2'）2 Ｒ＋２（１／２）Ｌ（ｉ2）2 ＋・・・＋（ｉn'）2 Ｒ＋２（１／２）Ｌ（ｉn）2 
＝Ｒ×［ （ｉ1'）2 ＋（ｉ2'）2 ＋・・・＋（ｉn'）2 ］＋Ｌ［（ｉ1）2 ＋（ｉ2）2 ＋・・・＋（ｉn）2］
ｉ＝ｉ1'＋ ｉ1（ｉ1'＝ｉ1），ｉ1'＝ ｉ2 ＋ ｉ2'， ・・・
であるため、
Ｅabsorb＝Ｒ×［（ｉ1'）2 ＋１／２（ｉ1）2 ＋（１／２）2 （ｉ1'）2 ＋・・・＋（１／２）n （ｉ1'）2 ］＋２×（１／２）Ｌ［（ｉ1）2 ＋（１／２）2 （ｉ1）2 ＋・・・＋（１／２）n （ｉ1）2 ］
＝（Ｒ＋Ｌ）［（ｉ1'）2＋１／２（ｉ1'）2＋ （１／２）2 （ｉ1'）2 ＋・・・＋（１／２）n （ｉ1'）2 ］
＝（Ｒ＋Ｌ）［（ｉ1 ）2＋１／２（ｉ1 ）2＋ （１／２）2 （ｉ1 ）2 ＋・・・＋（１／２）n （ｉ1 ）2 ］
＝（Ｒ＋Ｌ）（ｉ1 ）2 ×［１＋１／２＋ （１／２）2 ＋・・・＋（１／２）n  ］
最後に、
Ｅabsorb＝（Ｒ＋Ｌ）（ｉ1 ）2 ［２−（１／２）n  ］            公式（２）
を獲得する。
ｎ＝１の時、Ｅabsorb＝１．５（Ｒ＋Ｌ）（ｉ1 ）2 であり、ｎ＝∞の時、Ｅabsorb＝２（Ｒ＋Ｌ）（ｉ1 ）2 であり、公式（２）から分かるように、本考案の構造は、サージ侵入時に吸収されるエネルギーが１．５（Ｒ＋Ｌ）（ｉ1 ）2 と２（Ｒ＋Ｌ）（ｉ1 ）2 の間である。
したがって、被保護設備に進入する残存エネルギー＝侵入吸収エネルギーであり、
Ｅsurvive＝Ｅtotal surge−Ｅabsorb                            公式（３）
である。
【００２８】
本考案の直列式サージ抑制構造の発生するサージ抑制の効果は、前述の公式（１）（２）（３）から推測でき、ゆえに被保護設備の残存エネルギーを明確に交代でき、有効に伝統的な構造の欠点を改善する。
【００２９】
このほか、本実施例中、図７は本考案の最も基本の回路を示し、図２は図７の接地線を増加した応用である。図５、６も図２の拡大派生応用図である。ゆえにその演算方法と理論は一致する。
【００３０】
これにより、公式（１）（２）（３）を逆方向に演算することにより、簡単に顧客による電子設備、通信設備等の異なる作業電圧要求（ＡＣとＤＣを包含する）と作業電流の要求に対応して、必要な層数のチョークコイル２とそのＬ値規格を用い、実用に符合する製品を製造できる。
【図面の簡単な説明】
【００３１】
【図１】本考案の立体外観図である。
【図２】本考案の電気回路図である。
【図３】本考案の回路板上の素子の第２種の配列の表示図である。
【図４】本考案の回路板上の素子の第３種の配列の表示図である。
【図５】本考案のモジュール化設計の表示図である。
【図６】本考案のモジュールの並列拡大応用の電気回路図である。
【図７】本考案の基本回路図である。
【符号の説明】
【００３２】
１  サージ抑制素子          ２  チョークコイル        ２１  接点
４  通電線路                ５１  通信回路            ５２  電気設備
６  接地線                  ７  サージ吸収ユニット    ８  回路板
８１  電源接続端子          ８２  保護端子            ９  モジュール
Ｐ１〜Ｐ１０  対応点
【図１】
0003147808.tif 000003
【図２】
0003147808.tif 000004
【図３】
0003147808.tif 000005
【図４】
0003147808.tif 000006
【図５】
0003147808.tif 000007
【図６】
0003147808.tif 000008
【図７】
0003147808.tif 000009
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
直列式サージ抑制構造において、
回路板を包含し、該回路板に接地線と複数の通電線路が設けられ、該接地線と複数の通電線路に直列に多層サージ吸収ユニットが接続され、
各該通電線路は複数のチョークコイルが直列に接続されてなり、
各該サージ吸収ユニットは、一対の平行なチョークコイルの一端と接地線の間に分層が並列に接続され、それにサージ抑制素子が設けられてなり、
電源接続端子が該回路板の一辺に位置し、多層サージ吸収ユニットの最終端と電気的接続を形成し、
保護端子が該回路板の別の辺に位置し、多層サージ吸収ユニットの別の辺の最終端と電気的接続を形成したことを特徴とする直列式サージ抑制構造。
【請求項２】
請求項１記載の直列式サージ抑制構造において、同一層のサージ抑制素子はＹ型に配置されたことを特徴とする直列式サージ抑制構造。
【請求項３】
請求項１記載の直列式サージ抑制構造において、同一層のサージ抑制素子は三角型に配置されたことを特徴とする直列式サージ抑制構造。
【請求項４】
請求項１記載の直列式サージ抑制構造において、該チョークコイルは該回路板の中間に間隔配置され、該サージ抑制素子は該回路板の両側に間隔配置されたことを特徴とする直列式サージ抑制構造。
【請求項５】
請求項１記載の直列式サージ抑制構造において、該サージ抑制素子は該回路板の中間に間隔配置され、該チョークコイルは該回路板の両側に間隔配置されたことを特徴とする直列式サージ抑制構造。
【請求項６】
請求項１記載の直列式サージ抑制構造において、該サージ抑制素子と該チョークコイルは該回路板上で参差間隔分布配置されたことを特徴とする直列式サージ抑制構造。
【請求項７】
請求項１記載の直列式サージ抑制構造において、制定規格によりモジュールに形成され、異なる使用電力規格の設備に取付けられることを特徴とする直列式サージ抑制構造。
【請求項８】
直列式サージ抑制構造において、
複数の並列されたモジュールを包含し、各該モジュールは回路板に接地線と複数の通電線路が設けられ、該接地線と複数の通電線路に直列に多層サージ吸収ユニットが接続されてなり、
各該通電線路は複数のチョークコイルが直列に接続されてなり、
各該サージ吸収ユニットは、一対の平行なチョークコイルの一端と接地線の間に分層が並列に接続され、それにサージ抑制素子が設けられてなり、
各該モジュールの１辺に電源接続端子が設けられ、もう１辺に保護端子が設けられ、該電源接続端子は該回路板の一辺に設けられ、該多層サージ吸収ユニットの最終端と電気的接続を形成し、該保護端子は該回路板の別の辺に位置し、該多層サージ吸収ユニットの別の辺の最終端と電気的接続を形成し、
これにより、複数の該モジュールの保護端子が共同接続され更に通信設備或いは電気設備と接続され、該電源接続端子が共同接続され更に外接線と接続され、３相直列接続多層サージ吸収保護を達成することを特徴とする直列式サージ抑制構造。
【請求項９】
請求項８記載の直列式サージ抑制構造において、該モジュールが三つ設けられ、その保護端子と電源接続端子がＹ型に共同接続配置されたことを特徴とする直列式サージ抑制構造。
【請求項１０】
請求項８記載の直列式サージ抑制構造において、該モジュールが三つ設けられ、その保護端子と電源接続端子が三角型に共同接続配置されたことを特徴とする直列式サージ抑制構造。
【請求項１１】
請求項１又は請求項８記載の直列式サージ抑制構造において、各層のサージ吸収ユニットの使用するサージ抑制素子とチョークコイル規格が同じとされ、各層のサージ抑制素子が約５０％のサージ電流進入を制限でき、残りの５０％のサージ電流はチョークコイルに流入することを特徴とする直列式サージ抑制構造。
【請求項１２】
請求項１１記載の直列式サージ抑制構造において、該サージ吸収ユニットはｎ層設けられ、且つ、そのｎ層のサージ残存電圧Ｖcn+1は、
Ｖcn+1＝Ｖc1−［４−（１／２）ｎ］（Ｌ×ｄｉ／ｄｔ）        公式（１）
であり、そのサージ侵入時に吸収するエネルギー量Ｅabsorbは、
Ｅabsorb＝（Ｒ＋Ｌ）（ｉ１ ）2 ［２−（１／２）ｎ］          公式（２）
であり、被保護設備に進入する残存エネルギーＥsurviveは、
Ｅsurvive＝Ｅtotal surge−Ｅabsorb                          公式（３）
であり、顧客の要求に応じて１−ｎ層のチョークコイルとそのＬ値規格を設け、製造する製品を実用要求に符合させられることを特徴とする直列式サージ抑制構造。